Podtech/llm-jp-corpus-v4-ja_patent huggingface dataset:
(57)【要約】      （修正有）【課題】店頭で消費者がスマートフォン等から直接ＣＭソングやＣＭ動画を見聞できるようにした商品ラベルを提供する。【解決手段】商品のＣＭソングやＣＭ動画をマトリックス型二次元コード化して刷込み、店頭の消費者がスマートフォンで直接見聞できるようにして商品ラベル１を形成する。さらに、当該マトリックス型二次元コード２を前記商品ラベル１上の左下に配置する。【選択図】図１
0003181874.tif 000002
【実用新案登録請求の範囲】
【請求項１】
商品のＣＭソング等をＱＲコード化して刷込み、店頭の消費者がスマートフォン等の端末で直接聞くことができるようにした商品ラベル。
【請求項２】
商品のＣＭ動画をＱＲコード化して刷込んだ請求項目１記載の商品ラベル
【考案の詳細な説明】
【考案の詳細な説明】
【産業上の利用分野】
【０００１】本考案は、日本酒や焼酎などの商品ラベルに、当該商品のＣＭソング等をＱＲコード化して刷込み、店頭で消費者がスマートフォン等から直接ＣＭソングを聞けるようにした商品ラベル。
【背景技術】
【０００２】従来から商品の販促のためのＣＭソングは、ラジオやテレビ等の媒体を介して、消費者に伝えられるものであった。
【考案が解決しようとする課題】
【０００３】しかし、それらの媒体を介したＣＭは、莫大な費用がかかり、資金不足に悩む中小企業などでは、いくら立派な商品でもＣＭを流し、広く消費者に訴えることが難しかった。
【課題を解決するための手段】
【０００４】本考案は、この問題を解決するためになされた。つまり、店頭の商品ラベルに刷込まれたＱＲコードにスマートフォンをあて、ＱＲコードを読み取ることで、直接ＣＭソングを聞くことができるようにした。
【作用】
【０００５】  このＣＭソングのＱＲコード付商品ラベルは、良い製品はあるのに、資金不足で、十分なＣＭ展開ができない中小企業に、店頭で直接消費者に販売促進できる道を開く。
【実施例】
【０００６】  以下、本案の実施例について説明する。
本格焼酎の商品ラベルである。ラベルに刷込まれたＱＲコードをスマートフォンのＱＲコード読取りで実行すれば、当該商品のコマーシャルソングがその場で聞ける。
【考案の効果】
【０００７】  したがって、全国に通用する商品や製品を持ちながら、資金不足などでＣＭ展開できなかった企業でも、ＣＭをＱＲコード化して商品ラベルに組込めば、莫大な経費をかけずに、全国の消費者に直接、販売促進できるようになる。
【図面の簡単な説明】
【０００８】
【図１】ＱＲコードを刷込んだ焼酎５合瓶のラベル（コピー）
【図２】実際に本ラベルを添付した焼酎５合瓶の写真
0003181874.tif 000003
【手続補正書】
【提出日】平成24年11月29日(2012.11.29)
【手続補正１】
【補正対象書類名】実用新案登録請求の範囲
【補正対象項目名】全文
【補正方法】変更
【補正の内容】
【実用新案登録請求の範囲】
【請求項１】
商品のＣＭソングやＣＭ動画をマトリックス型二次元コード化して刷込み、店頭の消費者がスマートフォンで直接見聞できるようにした商品ラベルにおいて、当該マトリックス型二次元コードを前記商品ラベル上の左下に配置したことを特徴とする商品ラベル。
【手続補正２】
【補正対象書類名】明細書
【補正対象項目名】全文
【補正方法】変更
【補正の内容】
【考案の詳細な説明】
【産業上の利用分野】
【０００１】本考案は、日本酒や焼酎などの商品ラベルに、当該商品のＣＭソングやＣＭ動画を、マトリックス型二次元コード化して刷込み、店頭で消費者がスマートフォン等から直接ＣＭソングやＣＭ動画を見聞できるようにした商品ラベル。
【背景技術】
【０００２】従来から商品の販促のためのＣＭソングやＣＭ動画は、ラジオやテレビ等の有料媒体を介して、消費者に伝えられるものであった。
【考案が解決しようとする課題】
【０００３】しかし、それらの媒体を介したＣＭは、莫大な費用がかかり、資金不足に悩む中小企業などでは、いくら立派な商品でもＣＭを流し、広く消費者に訴えることが難しかった。
【課題を解決するための手段】
【０００４】本考案は、この問題を解決するためになされた。つまり、店頭の商品ラベルに刷込まれたマトリックス型二次元コードにスマートフォンをあて、マトリックス型二次元コードを読み取ることで、直接ＣＭソングや動画を見聞できるようにした。
【作用】
【０００５】  このＣＭソングやＣＭ動画のマトリックス型二次元コード付商品ラベルは、良い製品はあるのに、資金不足で、十分なＣＭ展開ができない中小企業に、店頭で直接消費者に販売促進できる道を開く。
【実施例】
【０００６】  以下、本案の実施例について説明する。  本格焼酎の商品ラベルである。ラベルに刷込まれたマトリックス型二次元コードをスマートフォンのマトリックス型二次元コード読取りで実行すれば、当該商品のＣＭソングや動画がその場で見聞できる。
【考案の効果】
【０００７】  したがって、全国に通用する商品や製品を持ちながら、資金不足などでＣＭ展開できなかった企業でも、ＣＭをマトリックス型二次元コード化して商品ラベルに組込めば、莫大な経費をかけずに、全国の消費者に直接、販売促進できるようになる。
【図面の簡単な説明】
【０００８】
【図１】（１）は商品ラベル、（２）は商品ラベル上に刷込まれたＣＭソングやＣＭ動画のマトリックス型二次元コード
【図２】実際に本ラベルを添付した焼酎瓶のイメージ写真
【手続補正３】
【補正対象書類名】図面
【補正対象項目名】全図
【補正方法】変更
【補正の内容】
【図１】
0003181874.tif 000004
【図２】
0003181874.tif 000005
(57)【要約】      （修正有）【課題】ネックレスの動きを止め、かつ首背面側から香水が香る事を追求したネックレスを提供する。【解決手段】前面中央に、ビーズをＡカンにて固着し、丸カン及びヒキモノ１にて構成なるビーズ体２に対応する長さのオペラ（チェーン・皮革紐）を連設し、半貴石パーツ３を取り付けたネックレス４を構成する。人体の首６背面側の位置する処に丸カン連結８（カニカン接続）したチェーンに半貴石パーツ９１等及び美しい鳥の羽根加工品を取り付けてバイパスＡを設ける。該バイパスに丁番で開閉する釣孔を有するロケットＢを複個数丸カン等にて直接またはチェーン１３にて接続する。ロケット表面及び裏面に透孔１４（０．８ｍｍ〜１．２ｍｍ位）を設ける。尚、開口したロケット内部の空隙に香水を含有する綿塊又は不織布を封入し閉じる。【選択図】図２
0003181875.tif 000002
【実用新案登録請求の範囲】
【請求項１】
本体ネックレスの首背面処に丸カン連結またはカニカン接続に因るバイパスチェーンを設け、表面及び裏面に複数個の繊細な透孔を有するロケットを多数設けるも、そのロケット内部に香水を含有する綿塊または不織布を封入なした事を特徴とする香るネックレス。
【考案の詳細な説明】
【技術分野】
【０００１】  本考案は、女性にとって不可欠なる美的感覚の首飾りであるネックレスに、素晴らしい香水が首背面から、香るネックレスに関するものである。
【背景技術】
【０００２】  現在ネックレスは人体首部の美感を追求する首輪であり、サイズはチョーカー・プリンセス・マチネー・オペラとあるが本考案はオペラ（７０ｃｍ〜８０ｃｍ）を主とする。【０００３】チェーン（金属鎖）または皮革紐で構成するも、これにパール・ビーズまたは半貴石パーツを取り付けてなる。【０００４】通常、首背面にての接続は丸カン（Ｃカン）を固着なしこれにカニカン（ヒキワ）を取り付けてネックレスと成す。
【考案の概要】
【考案が解決しようとする課題】
【０００５】ネックレスは、人の動作により左右に動き位置が正置から擦れる事があった。【０００６】本考案目的の技術分野に関し、美的ネックレスに良い香りを提供し、個性ある魅力を益す事を提供する。
【課題を解決するための手段】
【０００７】ネックレス本体の首背面処にチェーン・革紐で成るバイパスを設ける。これは丸カン連結またはカニカン接続とする。【０００８】バイパスに吊孔を有するロケットを丸カン・Ｃカンにて接続する。【０００９】ロケット表面・背面に多数の繊細な透孔を設ける。【００１０】丁番で開放なるロケットの内部に香水を含む綿または軽石砂または不織布を封入する。【００１１】鳥の羽根加工品及び複数個のロケット及び半貴石パーツを取り付けて魅力あるバイパスを構成する。
【課題を解決するための手段】
【００１２】人体首背面に於いて本体ネックレスに対し１０ｃｍ〜１３ｃｍ位のバイパスチェーンを丸カンまたはカニカン連結する。【００１３】バイパスチェーンに複数のロケットを丸カンにて接続するもロケットの表面に０．８ＭＭ〜１．２ＭＭ位の透孔を設けてなる。ロケットは丁番で開閉なし、内部中央に綿または不織布を入れ、これに香水を吹き付ける。【００１４】閉じて香るロケットと成る。
【考案の効果】
【００１５】バイパスを設けている故に本体ネックレス前面はバイパス重量及び擦れる事により正置動作を保ち動きを減少せしめる。【００１６】人体首部背面から香水の香りが漂うゆえに清清しい気分を得る。
【図面の簡単な説明】
【００１７】
【図１】人体首部背面に於けるバイパス図。
【図２】本体ネックレスとバイパスとロケットの図。
【図３】ロケット開放時と綿の図。
【図４】ロケットを閉じた図と透孔を表現。
【考案を実施するための形態】
【００１８】通常のネックレス本体（オペラ）に於て、人体首背面の位置する処に、丸カン連結（カニカン接続）したチェーンを取り付ける。チェーンの長さを１０ｃｍから１３ｃｍ位と成してバイパスを構成する。
バイパスに複数個の繊細な透孔を有するロケットを丸カン連結する。尚、丁番にて開口する内部空隙に香水を含有する綿塊を封入なし、開放から閉じる。
【００１９】その他において香水を含有する不織布も同様の効果を有する。
【実施例】
【００２０】以下、添付図面に従って一実施を設明する。前面中央に、（公序良俗違反につき、不掲載）ビーズをＡカンにて固着し、丸カン及びヒキモノ１にて構成なるビーズ体２に対応する長さのオペラ（チェーン・皮革紐）を連設し、半貴石パーツ３を取り付けたネックレス４を構成する。人体５の首６背面側７の位置する処に丸カン連結８（カニカン接続）したチェーンに半貴石パーツ９１  ９２  ９３  ９４・・・・及び美しい鳥の羽根加工品１０を取り付けてバイパスＡを設ける。本考案要指のバイパスに丁番１１で開閉する釣孔１２を有するロケットＢを複個数丸カン等にて直接またはチェーン１３接続する。ロケット表面及び裏面に透孔１４（０．８ＭＭ〜１．２ＭＭ位）を設けてなる。尚、開口したロケット内部１５１  １５２の空隙１６に香水を含有する綿塊１７又は不織布を封入なし閉じる１８。【００２１】蓋をする故に多数の透孔１４は通気孔となり香りが漂う。
【符号の説明】Ａ  バイパス
Ｂ  ロケット
１  ヒキモノ
２  ビーズ体
３  半貴石パーツ
４  ネックレス
５  人体
６  首
７  背面側
８  丸カン連結
９  半貴石パーツ９１  ９２・・・・
１０  鳥の羽根加工品
１１  丁番
１２  釣孔
１３  チェーン
１４  透孔
１５  ロケット内部
１６  空隙
１７  綿塊
１８  閉じる
【図１】
0003181875.tif 000003
【図２】
0003181875.tif 000004
【図３】
0003181875.tif 000005
【図４】
0003181875.tif 000006
【手続補正書】
【提出日】平成24年12月5日(2012.12.5)
【手続補正１】
【補正対象書類名】明細書
【補正対象項目名】００２０
【補正方法】変更
【補正の内容】
【００２０】  以下、添付図面に従って一実施を説明する。
前面中央に、ビーズをＡカンにて固着し、丸カン及びヒキモノ１にて構成なるビーズ体２に対応する長さのオペラ（チェーン・皮革紐）を連設し、半貴石パーツ３を取り付けたネックレス４を構成する。人体５の首６背面側７の位置する処に丸カン連結８（カニカン接続）したチェーンに半貴石パーツ９１９２９３９４‥‥及び美しい鳥の羽根加工品１０を取り付けてバイパスＡを設ける。本考案要指のバイパスに丁番１１で開閉する釣孔１２を有するロケットＢを複個数丸カン等にて直接またはチェーン１３接続する。ロケット表面及び裏面に透孔１４（０．８ＭＭ〜１．２ＭＭ位）を設けてなる。
尚、開口したロケット内部１５１１５２の空隙１６に香水を含有する綿塊１７又は不織布を封入なし閉じる１８。
(57)【要約】      （修正有）【課題】基礎柱鋼材等を設置した後の、狭隘なスペースに進入することなく、アンカーナットをセットし、締付けることができるようにした狭隘部に使用するアンカーボルトを提供する。【解決手段】アンカーナット６を玩具にある輪投げの要領で、ガイドパイプ７を介し上方より落し込み、予め頭部に傾斜を付けたアンカーボルト５上に設置し、ロングソケットスパナで締め付けられる様にする。【選択図】図１
0003181873.tif 000002
【実用新案登録請求の範囲】
【請求項１】
ボルト頭部に傾斜を設け、ナットを上部より、投入、設置、締め付けが出来るようにしたアンカーボルト。
【請求項２】
アンカーナットを上部より投入し、アンカーボルト頭部に、設置出来るようにした、投入用ガイドパイプ。
【考案の詳細な説明】
【技術分野】
【０００１】本考案は、アンカーボルトのアンカーナット締付け工法に関するものである。【０００２】アンカーボルト頭部に傾斜を付けて先細りにすることにより、アンカーナットが簡単にセット出来る。
【背景技術】
【０００３】アンカーボルトを設置する時は、作業スペースが広くアンカーボルト設置は容易であるが、基礎柱鋼材等を設置した後は狭隘なスペースとなり、アンカーナットを設置し締付けることが困難となる。
【考案の概要】
【考案が解決しようとする課題】
【０００４】基礎柱鋼材等を設置した後の、狭隘なスペースに進入することなく、アンカーナットをセットし、締付けることができるようにした前述の欠点を解決するものである。
【課題を解決するための手段】
【０００５】アンカーボルトの頭部に傾斜を設けることにより、上部より投入したアンカーナットは、ガイドパイプを介してアンカーボルト上部にセットされ、地上にてロングソケットスパナを使用して締付けられる、したがって狭隘なスペースでの作業は無くなり問題点を解決している。
【考案の効果】
【０００６】上述の様に、本考案のアンカーボルトを使用し、ガイドパイプでアンカーナットを誘導設置することにより、基礎柱鋼材等を設置した後の、狭隘なスペースに進入することなく、アンカーナットを締結することができる。
【図面の簡単な説明】
【０００７】
【図１】は本考案のアンカー実施例を示す断面図である。
【図２】は本考案のアンカー実施例を示す平面図である。
【図３】は本考案のアンカーナット投入締付け時実施例断面図である。
【図４】は本考案のアンカーボルト断面図である。
【考案を実施するための形態】
【０００８】アンカーボルトは先行して、基礎コンクリート中に埋め込まれており、基礎柱鋼材等を設置した後、アンカーナットをセットし締付けようとしたとき、周辺は狭隘な環境となり、進入が困難となっているが、ボルト頭部に傾斜を設けた形状のアンカーボルトを使用することにより、地上よりガイドパイプを介して投入されたアンカーナットは、その中心部にセットされ、締付け可能な状態となる。
【実施例】
【０００９】以下、添付図面に沿って実施例を説明する。基礎コンクリート４に埋め込まれた本考案のアンカーボルト５の中心頂部にガイドパイプ７を設置する。【００１０】ガイドパイプ７上部よりアンカーナット６を投入すると、アンカーナット６はアンカーボルト５の上部に収まり、締付け可能な状態になる。【００１１】ロングソケットスパナ９でアンカーナット６を締付けることでアンカーボルトの締結は完了する。
【符号の説明】
【００１３】１：基礎柱鋼材
２：基礎柱ベースプレート
３：深礎土留め材
４：基礎コンクリート
５：アンカーボルト
６：アンカーナット
７：アンカーナット投入用ガイドパイプ
８：アンカー鉄筋
９：ロングソケットスパナ
【図１】
0003181873.tif 000003
【図２】
0003181873.tif 000004
【図３】
0003181873.tif 000005
【図４】
0003181873.tif 000006
【手続補正書】
【提出日】平成24年11月28日(2012.11.28)
【手続補正１】
【補正対象書類名】実用新案登録請求の範囲
【補正対象項目名】全文
【補正方法】変更
【補正の内容】
【実用新案登録請求の範囲】
【請求項１】
アンカーボルト頭部に傾斜を設け、アンカーナットを上部より、投入、設置し、前記アンカーボルトに締め付け可能にしたことを特徴とするアンカーボルト。
【請求項２】
頭部に傾斜を設けたアンカーボルトの頭部に設置する投入用ガイドパイプであって、アンカーナットを前記投入用ガイドパイプの上部より投入し、前記アンカーボルトに締め付け可能としたことを特徴とする投入用ガイドパイプ。
(57)【要約】      （修正有）【課題】菜園に使用する支柱の径、長さが一定であり、強度と適度の展性のあるプラスチック材を用い、着脱が簡単で確実に組立が出来る園芸支柱簡易組立具を提供する。【解決手段】園芸支柱の直径が各サイズごとに一定の場合の支柱組立で山形に組む場合又、井桁に組む場合も同一組立具１を使用して縦支柱と横軸の結束を組立具１の裏、表に押し込み又は引き抜くだけで簡単、確実、に着脱が出来る事を特徴とし、さらにその強度を保ちながら組立を容易にする為その抱き込む長さの中央３／１をセンターまで切り欠き両端３／２で支柱を支え強度を保ちながら組立を容易にした事を特徴とする。【選択図】図１
0003181879.tif 000002
【実用新案登録請求の範囲】
【請求項１】
園芸支柱の直径が各サイズごとに一定の場合の支柱組立で山形に組む場合又、井桁に組む場合いも同一組立具を使用して縦支柱と横軸の結束を器具の裏、表に押し込むだけで簡単、確実に着、脱が出来る事を特徴とするプラスチック製の園芸支柱簡易組立具。
【請求項２】
支柱組立後の強度を上げるためには器具の支柱を抱き込む長さは数センチが必要であるがその場合、組立時に支柱を押し込む事が困難で中央３／１をセンタ−まで切り欠く事によって両端３／２で支柱を支え強度を保ちつつ着、脱を簡単にする事を特徴とした園芸支柱簡易組立具。
【考案の詳細な説明】
【技術分野】
【０００１】      本考案は園芸支柱組立に関するものである。
【背景技術】
【０００２】      従来蔓を上に伸ばす野菜、トマト、キウリ、インゲン等を栽培する場合支柱２本を山形に組み上部を少し残して交点とし紐又は結束バンドで固定し此を必要数作り上部に横軸を通して一定の間隔で全数を固定し野菜を栽培していた。又井桁に組む場合もあるがこれらは支柱が主に竹竿で径が不揃いで結束を簡単にすれば風で倒され、頑丈にすれば解体時に手数が掛かる是を昔から繰り返している。機械化されたハウス栽培は別として小農家、家庭菜園は今もこの方式である。
近年園芸支柱と言う品名で工場で製造された径、長さ、共一定寸法の支柱が販売され安価で手軽に入手出来る様になった。
【先行技術文献】
【特許文献】
【０００３】
【特許文献１】Ａ  ０１Ｇ  ９／１２
【考案の概要】
【考案が解決しようとする課題】
【０００４】      菜園に使用する支柱の径、長さが一定となれば是にあわせた組立具の製作が可能で強度と適度の展性のあるプラスチック材を選定し着、脱が簡単で確実な組立が出来る器具を製作し前述の欠点を解決しようとするものである。
【課題を解決するための手段】
【０００５】      本考案を簡単に説明すると組立には支柱の角度を３０−４０度の山形に組み立てる場合と９０度直角で井桁に組み立てる場合があり何れも同一組立具で供用出来るが２本の径が違えばその径にあわせた器具を使用する必要がある。この器具で１−２ミリ程度径が太い場合でも供用出来るが細い場合は完全な組立てができない。
構造は２本の支柱と同一径の丸棒に厚み約２ミリ長さ数センチの適度の強度と展性のあるプラスチックパイプを被せその２本の中央を直角に重ね接触部の肉は棒が接触するまで削り取ったあと、プラスチックパイプ２本の重なった部分の半径の外側を同材で埋める事によって２本の棒のプラスチックパイプは完全に接着出来る。次に接着部の反対側半径のプラスチックパイプの肉をそれぞれ縦に切り離し支柱の径より１−２ミリ程度少なく開き、開口部は支柱を押し込み易くする為外側に曲げ角を取る、又支柱を支える力は変わらないが支柱を押し込み易くするため切り離したプラスチックパイプの中３分の１をパイプ半径まで切り落とす。使用する支柱の径が比較的細い場合は支柱を抱き込むプラスチックパイプの長さは１，５−２センチで良くこの加工は不要である。以上の様に縦支柱と横軸を裏、表にはめ込む方式にした事で着、脱、の問題点は解決している。
【考案の効果】
【０００６】      上述の様に着、脱、の点では縛る、締め付けるの行程はなく押し込む、引き抜くの１行程のみで効果は見られる、又従来山形に固定する場合先に山形の２本を固定する為操作は複雑になった、本考案は山形の支柱と横軸を９０度に固定し５−６センチ間隔を置いて反対側を固定するか、又苗の植え付けを交互にするかで器具は直角組立具で山形の角度は自由に変更出来る、又井桁に組む場合直角そのままで良いが縦支柱より横軸を細くするとよい。
【図面の簡単な説明】
【０００７】
【図１】考案の園芸支柱簡易組立具製作機構図
【図２】Ａ−従来の山形組立方式の一例  Ｂ−本考案の組立具を使用した山形組立方式の一例
【考案を実施するための形態】
【０００８】      作業の準備は従来の方法と変わらないが苗の植え付けを同一間隔でも互い違いにするのが好ましい。園芸支柱の強度は苗の植え付けを交互にして支柱を交互しても変わらない。
【実施例】
【０００９】      支柱径１３ミリ用の器具で１５ミリ径の支柱を組み立てたが特に問題無く組立が出来た。
【符号の説明】
【００１０】      １    本考案の園芸支柱簡易組立具の１例
２    横軸
３    立支柱
４    野菜
５    畠
【図１】
0003181879.tif 000003
【図２】
0003181879.tif 000004
【手続補正書】
【提出日】平成24年12月7日(2012.12.7)
【手続補正１】
【補正対象書類名】実用新案登録請求の範囲
【補正対象項目名】全文
【補正方法】変更
【補正の内容】
【実用新案登録請求の範囲】
【請求項１】
園芸支柱の直径が各サイズごとに一定の場合の支柱組立で山形に組む場合又、井桁に組む場合も同一組立具を使用して縦支柱と横軸の結束を組立具の裏、表に押し込み又は引き抜くだけで簡単、確実、に着、脱、が出来る事を特徴とするプラスチック製の園芸支柱簡易組立具
【請求項２】
園芸支柱は通常の風には倒れ無い程度の強度は必要で組立具の支柱又は横軸を抱き込みむ長さは数センチは必要であるがその強度を保ちながら組立を容易にする為その抱き込む長さの中央３／１をセンターまで切り欠き両端３／２で支柱を支え強度を保ちながら組立を容易にした事を特徴とする請求項１記載の園芸支柱簡易組立具
(57)【要約】      （修正有）【課題】ノートパソコン等のガタつきを抑えつつ、表面に転写印刷が施せ、マウスの操作性を快適にし、パソコンを持ち歩く時にはクッション材としても多機能に使用でき、作業環境の違う場所でもパソコンを快適に使用できる多機能ＰＣマットを提供する。【解決手段】多機能ＰＣマットは、表面は摩擦抵抗が少なくマウス動作が円滑におこなえ、かつ各種転写印刷が可能な化学繊維のシート３を使用し、裏面は机上または作業台等のいろいろな環境に設置しても滑りにくいゴム系のマット２を張り合わせた２重構造とする。貼り合わせた多機能ＰＣマットは、ノートパソコンにクッション材として巻きつけが可能な柔らかさで、表面にはデザイン性を楽しめる各種転写印刷が施せる。【選択図】図１
0003181848.tif 000002
【実用新案登録請求の範囲】
【請求項１】
表面は摩擦抵抗が少なく転写印刷可能な化学繊維、裏面はすべりにくいゴム系マットを貼り合わせた２重構造のマットで、ノートパソコンまたはキーボードの安定とマウスパット機能、また、持ち歩き時のノートパソコン保護材機能を１枚のマットに集約したことを特徴とする、多機能ＰＣマット。
【考案の詳細な説明】
【技術分野】
【０００１】
本考案は、マウスパット、ノートパソコン及びキーボード用のマットに供され、更に
ノートパソコンを持ち歩く時に保護材としても利用できる、多機能ＰＣマットに関する。
【背景技術】
【０００２】
机上でパソコン作業をおこなう場合、マウスパットを机上に配置して単体で使用することが一般的である。
また、パソコンとキーボードを机上に載せて作業をする場合、机上全体に敷くデスクマットがあり、このデスクマット上でマウス使用できるものはボール型マウスに対応したものが多く、このようなデスクマットは、マウスを動作させるエリアの摩擦抵抗を大きくし、円滑に操作できるよう加工処理されていた。
このような
デスクマットは、透明若しくは半透明性のものが多く表面にデザインを施したマットはあまり見かけなかった。またノートパソコンを持ち歩く際に、デスクマットをノートパソコンに巻きつけて衝撃を吸収してノートパソコンを保護するような機能を有するデスクマットは存在していない。
【先行技術文献】
【特許文献】
【０００３】
【特許文献１】特開平１０−６６９０号公報
【考案の概要】
【考案が解決しようとする課題】
【０００４】
従来のマウスパットも使用できるデスクマットは机全体に敷くタイプで、マットの一部分にボールタイプのマウスに対応できる摩擦抵抗の大きな処理をほどこしてあるものが多い。しかし、現在のマウスパットは光学式が主流で、摩擦抵抗の少ないものの方が作業性が良い。
また、デスクマットは机上に据え付ける為、持ち歩きには不便な大きさであるため
ノートパソコン等を違う場所で使用する場合は、マウスパット等を別途持参することとなる。
デスクマットは机全体に敷くので、表面にデザイン等を施すと、机とデスクマットの間にはさんだ書類等がみえにくくなるため透明・半透明が多く、表面のデザイン性にとぼしい。
【０００５】
一方、マウスパットを単体で使用する場合は、パソコン作業中にずれが生じたり、パットの端面がめくれあがったりする傾向があり作業に不快を感じる事が多く、
汚れた場合の拭き取りが容易でないものがある。
【０００６】
また、ノートパソコン・キーボードを机上等でマット無しで使用した場合は、接触面に隙間が発生する場合があり、ガタつきが発生し作業効率が落ちる場合がある。
特に、ノートパソコンを違う環境で使う場合、手軽に敷けるマットは無い。
【０００７】
キーボードを操作する場合、マット・クッション等が無いとキーボード手前の机上と手（腕）の間があたり、疲労感をおぼえる。
【０００８】
パソコンを持ち歩く際、マウスパットが大きければノートパソコンのクッション
材としても利用できるが、マウスパットは小さく・デスクマットは大きい為、現状は別途カバー・クッション材等で保護する場合が多い。
【０００９】
そこで本考案の解決すべき課題は、上記課題を１枚のマットで集約できる多機能ＰＣマットを提供することである。
【課題を解決するための手段】
【００１０】
上記課題を解決するため、マットは２重構造とし、表面は摩擦抵抗が少なくマウス動作が円滑におこなえ、かつ各種転写印刷が可能な化学繊維のシートを使用し、裏面は机上または作業台等のいろいろな環境に設置しても滑りにくいゴム系のマットを貼り合わせた構造とする。
【００１１】
貼り合わせたマット全体の柔軟性は、ノートパソコンにクッション材として巻きつけが可能で、巻きぐせが残らない程度である。
マットの寸法は、おおむねノートパソコンの奥行より少し広い奥行寸法を有し、横幅は標準キーボードをおいてもマウス動作がスムーズにおこなえるスペースを確保できる横幅寸法とする。
【考案の効果】
【００１２】
この考案にかかわる多機能ＰＣマットは、ノートパソコンやキーボード作業時のガタつきを抑えると同時に、マウスの円滑な作業を維持し、表面には自由な転写印刷が施せ、デザイン性に富み、ノートパソコンをバックなどで持ち歩く際のクッション材としても使用できる機能を１枚のマットに集約できる。
そのため、持ち歩きが簡単でマウスパットのようにいつでも携行できるため、作業環境の違う場所でもパソコン作業が快適におこなえる。
【００１３】
化学繊維に転写印刷を施した上面は、汚れが付きにくく耐水性にもすぐれているので、汚れた場合には水拭き等で簡単に汚れが落とせる。
【００１４】
マットは机上の作業者側手前いっぱいに設置して使用できるので、キーボード操作時に机上と手（腕）の間でクッション的役割が発生し、快適な作業が望める。
【００１５】
机上面の全面に敷くデスクマットではないため、机上には筆記及び書類等を置くスペースが確保できる。
【００１６】
シート上面は化学繊維のため光択のある転写印刷が可能で形状が型崩れしないため、室内の装飾品（テーブルマット・壁掛けポスター）など、本案件以外の用途にも幅広く使用できる。
【図面の簡単な説明】
【００１７】
【図１】多機能マット構造及び転写印刷例を示す図
【図２】多機能ＰＣマット示す図
【図３】多機能ＰＣマットをクッション材として使用した実施形態を示す図
【考案を実施するための形態】
【００１８】
図1に示す本考案の多機能ＰＣマット１は、ゴム系マット２と化学繊維シート３を貼り合わせ積層の二重構造としている。また図に示すように、化学繊維シート３の表面上に示す○や△は各種デザインを付した状態を示すものであり、光沢の転写印刷が可能である。
【実施例】
【００１９】
図２は、机上にパソコン機器を配置した場合の実施形態を示し、多機能ＰＣマット１の配置及び使用形態を示している。
【００２０】
図３は、本考案の多機能マット１をノートパソコンにクッション材として巻きつけた形態を示すものである。
【符号の説明】
【００２１】
１  多機能ＰＣマット
２  ゴム系マット
３  化学繊維シート
【図１】
0003181848.tif 000003
【図２】
0003181848.tif 000004
【図３】
0003181848.tif 000005
(57)【要約】【課題】インソールとシューズを関連販売することによりシューズの売上アップを図ることを目的として新たに創作されたインソール陳列用の吊り下げ具を提供する。【解決手段】シューズ陳列コーナーのシューズ棚の隙間に設置されるインソール陳列用の吊り下げ具１０であって、上部にインソールの機種に対応したＰＯＰシート２０が差し替え可能に取り付けられ、ＰＯＰシート２０の下方に合成樹脂製のフック部材３０が上下に２箇所設けられたことを特徴とする。【選択図】図３
0003181482.tif 000002
【実用新案登録請求の範囲】
【請求項１】
シューズ陳列コーナーのシューズ棚の隙間に設置されるものであって、上部にインソールの機種に対応したＰＯＰシートが差し替え可能に取り付けられ、前記ＰＯＰシートの下方に合成樹脂製のフック部材が上下に２箇所設けられたことを特徴とするインソール陳列用の吊り下げ具。
【請求項２】
前記ＰＯＰシートは、湾曲形状又は平面形状に形成されていることを特徴とする請求項１に記載のインソール陳列用の吊り下げ具。
【請求項３】
請求項１又は請求項２に記載のインソール陳列用の吊り下げ具は、厚手の紙を使用して縦長に形成され、裏面の両側に補強部材を取り付けて腰折れのない陳列姿勢を維持することを特徴とするインソール陳列用の吊り下げ具。
【考案の詳細な説明】
【技術分野】
【０００１】
本考案は、インソール陳列用の吊り下げ具に関する。
【背景技術】
【０００２】
靴ショップで良く見る、「臭い消し」などフラットなインソールは靴を売るための商品といえるが、あまり足にとって効果的とは思えないインソールが売られている理由は、「靴を販売するために必要」という靴ショップにとっての「生命線」ともいえる大きな理由があると考えられる。
一方、巨大売り場のスポーツショップの場合、インソールを集合型にすることで、「シューズを売るためのインソールの役割」を果たさなくなるため、インソールを単体販売する「集合型」とインソールとシューズを関連販売する「コーナー展開」の２面展開を行うことでシューズ自体の売り逃しをなくすことが必要と考えられる。
【０００３】
商品陳列用の吊り下げ具に関しては、例えば、実開平４−９３６５８号公報（特許文献１）には、化粧品、文具などの被展示物を吊り下げて展示するための展示装置において、展示装置を組み立てるための手間を低減することを目的とする「折りたたみ式展示装置」の考案が提案されている。
【先行技術文献】
【特許文献】
【０００４】
【特許文献１】実開平４−９３６５８号公報
【考案の概要】
【考案が解決しようとする課題】
【０００５】
本考案は、インソールとシューズを関連販売することによりシューズの売上アップを図ることを目的として新たに創作されたインソール陳列用の吊り下げ具を提供することを課題とする。
【課題を解決するための手段】
【０００６】
上記の課題を解決するために、請求項１に記載の考案は、シューズ陳列コーナーのシューズ棚の隙間に設置されるものであって、上部にインソールの機種に対応したＰＯＰシートが差し替え可能に取り付けられ、前記ＰＯＰシートの下方に合成樹脂製のフック部材が上下に２箇所設けられたことを特徴とする。
【０００７】
また、請求項２に記載の考案は、請求項１に記載の前記ＰＯＰシートは、湾曲形状又は平面形状に形成されていることを特徴とする。
【０００８】
また、請求項３に記載の考案は、請求項１又は請求項２に記載のインソール陳列用の吊り下げ具が厚手の紙を使用して縦長に形成され、裏面の両側に補強部材を取り付けて腰折れのない陳列姿勢を維持することを特徴とする。
【考案の効果】
【０００９】
以上のように、本考案にかかるインソール陳列用の吊り下げ具は、シューズ棚の隙間に設置されるものであって、上部にＰＯＰを取り付けることで用途が明確になることから、シューズ購入を悩んでいるお客様の購入決定を促進することが可能となる。 
【図面の簡単な説明】
【００１０】
【図１】インソール陳列用の吊り下げ具の一例を示す正面図である。
【図２】インソール陳列用の吊り下げ具の一例を示す背面図である。
【図３】インソール陳列用の吊り下げ具の使用状態を示す斜視図である。
【図４】ＰＯＰシートの一例を示す説明図である。
【図５】シューズ陳列コーナーの一例を示す説明図である。
【考案を実施するための形態】
【００１１】
以下、本考案の実施の形態について図面を参酌しながら説明する。
なお、本考案にかかるインソール陳列用の吊り下げ具は、以下の実施例に限定されるものではなく、内容及び形態等は使用状況によって適宜変更することができる。
【００１２】
図１はインソール陳列用の吊り下げ具の一例を示す正面図、図２はインソール陳列用の吊り下げ具の一例を示す背面図である。
インソール陳列用の吊り下げ具１０は、厚手の紙を使用してシューズ陳列の隙間に設置できるように縦長に形成される（図５参照）。この物品の大きさは、シューズ陳列の隙間に合うように、図１に示す縦方向の長さ（Ｈ）：８０〜１００ｃｍ、横方向の長さ（Ｗ）：１０〜２０ｃｍの範囲内で調整することができる。
【００１３】
また、インソール陳列用の吊り下げ具１０は、上部にＰＯＰシート２０が差し替え可能に取り付けられ、ＰＯＰシート２０の下方に合成樹脂製のフック部材３０が上下に２箇所設けられている。図３に示すように、各フック部材３０にインソール入り商品パッケージＡを吊り下げて陳列し、例えば図４に示すようなインソールの機種に対応したＰＯＰシート２０を取り付けることにより用途を明確にすることができる。
なお、ＰＯＰシート２０は湾曲形状のものだけでなく、平面形状のものでもよく、更にはＰＯＰシート２０を取り付ける替わりに直接印刷してもよい。
【００１４】
また、図２に示すように、必要に応じてこの物品の裏面１２の両側に補強部材４０を取り付けることにより、腰折れのない陳列姿勢を維持することができる。
【符号の説明】
【００１５】
Ａ  インソール入り商品パッケージ
１０  インソール陳列用の吊り下げ具
１１  正面
１２  裏面
２０  ＰＯＰシート
３０  フック部材
４０  補強部材
【図１】
0003181482.tif 000003
【図２】
0003181482.tif 000004
【図３】
0003181482.tif 000005
【図４】
0003181482.tif 000006
【図５】
0003181482.tif 000007
(57)【要約】      （修正有）【課題】三つ折り又は二つ折りができ、搬入及び移動がしやすいマットレスを提供する。【解決手段】マットレスの中身が、三等分又は二等分に分割され、マットレス全体が外カバーで包まれている。マットレスの中身の素材には、スプリング、ウレタン、パーム、フェルト又は固綿を用いる。【選択図】図１
0003181497.tif 000002
【実用新案登録請求の範囲】
【請求項１】
マットレス（一般向け・介護向け・医療向けなど）において、マットレスの中身を三つ折り又は二つ折りできる仕様とし、外カバーにて包むことにより寝心地の良い一枚のものマットレスになることを特徴とするマットレス
【請求項２】
中身の素材は、一般的にベッド用マットレスの素材に使用されるもの（スプリング・ウレタン・パーム・フェルト・固綿など）を使用。
【請求項３】
外カバーは、衛生面をより良くするために取り外し洗濯が可能。
【考案の詳細な説明】
【技術分野】
【０００１】本発明は、ベッドの中身が三つ折りできるマットレスに関する。
【技術背景】
【０００２】近年、住宅のエレベーター・ドア・階段などの規格が多様化しており、一般家具やベッドにて搬入しにくいものが増えてきています。配送面においても大型家具の荷扱いは運送会社にも嫌われており運賃が高騰しています。
【０００３】  一般的にマットレスは、購入時にすぐ使用できる状態となっており、一般的にダブルサイズのマットレスで、１，４００ｍｍ×１，９６０ｍｍ×２１０ｍｍの大きさとなりエレベーター・ドア・階段の搬入が非常に難しい現状があります。
【０００４】  一般的には、マットレスの搬入方法としては専門員２名にて手運び、場合によっては、階段が上がらない場合は吊り上げなどの方法を使います。
路線便に関しては、荷受拒否をされる場合もあります。
【０００５】  上記のように、搬入が難しくなることにより運賃が高くなったり、部屋に搬入ができない、ユーザーによる移動が困難という問題が生じてくる。
【考案の概要】
【考案が解決しようとする課題】
【０００６】  マットレスを販売する販売店及び購入したユーザーがマットレスの搬入及び移動を容易にできるマットレスを提供することを目的とする。
【課題を解決するための手段】
【０００７】  この課題を解決するために、マットレスの中身（外カバー以外）を三つ折り又は二つ折りでき寝心地を損なうことなく両面を使用できるマットレスを実現した。
【考案の効果】
【０００８】  本発明は、マットレスの搬入及び移動をしやすくすることを可能とする。
【考案を実施するための形態】
【０００９】  マットレスの中身を三等分又は二等分の大きさに分割し、事前に三つ折り又は二つ折りができるネット（布地）を用意し入れる。ネット及び布地状の物に入れた後に、専用カバーに入れファスナーをする。ネット（布地）に入れるスプリングの種類や厚さや詰め物は何にでも対応できる。
【００１０】  マットレスは、一般用・介護用・医療向けなど様々な用途にて使用できる。二つ折り・三つ折りなど中身の形状及び仕様は様々である。
【産業上の利用可能性】
【００１１】  一般向け・介護用・医療向けなど様々な分野のマットレスに採用でき、一般向けを主流とし、特にこれからの高齢化社会では、介護用での需要も増えていくものと予想される。
【図１】
0003181497.tif 000003
【図２】
0003181497.tif 000004
【図３】
0003181497.tif 000005
【図４】
0003181497.tif 000006
【手続補正書】
【提出日】平成24年10月29日(2012.10.29)
【手続補正１】
【補正対象書類名】実用新案登録請求の範囲
【補正対象項目名】全文
【補正方法】変更
【補正の内容】
【実用新案登録請求の範囲】
【請求項１】
マットレスの中身が三等分又は二等分に分割され当該マットレス全体が外カバーで包まれることにより、三つ折り又は二つ折り可能な構造を有することを特徴とするマットレス
【請求項２】
スプリング・ウレタン・パーム・フェルト又は固綿を前記マットレスの中身の素材として用いたことを特徴とする請求項１記載のマットレス
【請求項３】
前記外カバーが取り外し可能であることを特徴とする請求項１又は２記載のマットレス
【手続補正２】
【補正対象書類名】明細書
【補正対象項目名】全文
【補正方法】変更
【補正の内容】
【考案の詳細な説明】
【技術分野】
【０００１】  本発明は、ベッドの中身が三つ折り又は二つ折りできるマットレスに関する。
【技術背景】
【０００２】  近年、住宅のエレベーター・ドア・階段などの規格が多様化しており、一般家具やベッドにて搬入しにくいものが増えてきています。配送面においても大型家具の荷扱いは運送会社にも嫌われており運賃が高騰しています。
【０００３】  一般的にマットレスは、購入時にすぐ使用できる状態となっており、一般的にダブルサイズのマットレスで、１，４００ｍｍ×１，９５０ｍｍ×２１０ｍｍの大きさとなりエレベーター・ドア・階段の搬入が非常に難しい現状があります。
【０００４】  一般的には、マットレスの搬入方法としては専門員２名にて手運び、場合によっては、階段が上がらない場合は吊り上げなどの方法を使います。路線便に関しては、荷受拒否をされる場合もあります。
【０００５】  上記のように、搬入が難しくなることにより運賃が高くなったり、部屋に搬入ができない、ユーザーによる移動が困難という問題が生じてくる。
【考案の概要】
【考案が解決しようとする課題】
【０００６】  マットレスを販売する販売店及び購入したユーザーがマットレスの搬入及び移動を容易にできるマットレスを提供することを目的とする。
【課題を解決するための手段】
【０００７】  この課題を解決するために、マットレスの中身を三つ折り又は二つ折りでき寝心地を損なうことなく両面を使用できるマットレスを実現した。
【考案の効果】
【０００８】  本発明は、マットレスの搬入及び移動をしやすくすることを可能とする。
【考案を実施するための形態】
【０００９】  マットレスの中身を三等分又は二等分の大きさに分割し、事前に三つ折り又は二つ折りができるネット又は布地を用意し入れる。ネット又は布地状の物に入れた後に、専用カバーに入れファスナーをする。ネット又は布地に入れるスプリングの種類や厚さや詰め物はどのようにでも対応できる。
【００１０】  マットレスは、一般用・介護用・医療向けなど様々な用途にて使用できる。二つ折り・三つ折りなど中身の形状及び仕様は様々である。
【産業上の利用可能性】
【００１１】  一般向け・介護用・医療向けなど様々な分野のマットレスに採用でき、一般向けを主流とし、特にこれからの高齢化社会では、介護用での需要も増えていくものと予想される。
【図面の簡単な説明】
【００１２】
【図１】マットレスの中身は、画像の様に三等分又は二等分できる。
【図２】カバーにより包んだマットレスの見た目は通常のマットレスと見かけは同じです。
【図３】中身をきれいに並べるとつなぎ目がなくなります。
【図４】ファスナーは前開式になっており、中身の出し入れが簡単です。
(57)【要約】      （修正有）【課題】貼付したマニキュア素材ネイルシールの付着定着を促進し、その外因などによる、シールへの損傷や剥離などから保護するとともに、艶出し効果を備えるなどし、その対象爪の美的装飾状態の保持を可能とするネイルシールを提供する。【解決手段】裏面に接着層を有した略楕円形状のマニキュア素材ネイルシール３を対象爪２に貼付けて、専用溶剤を対象爪全体に塗布する。しかる後に、ＬＥＤ光熱照射により対象爪へのシール付着とその保護溶液５の早期乾燥凝固を促進し、保護被覆膜を定着させる。以上のプロセスによりマニキュア素材とシール被膜硬化層を一体としたネイルシールを形成する。【選択図】図１
0003181499.tif 000002
【実用新案登録請求の範囲】
【請求項１】
裏面に接着層を有した略楕円形状のマニキュアベースシール素材に保護溶液塗布による該シールに連結する被膜硬化層を一体とするネイルシール。
【請求項２】
請求項１の略楕円形状のシール素材で、対象爪より、０．１ｍｍから１ｍｍの周辺隙間を有するマニキュアベースシール素材。
【考案の詳細な説明】
【技術分野】
【０００１】本考案はＬＥＤ光熱照射によるマニキュア素材のネイルシールの対象爪への付着定着と専爪用保護溶液の塗布により対象爪の被膜乾燥凝固によるマニキュア素材ネイルシールの被覆保護に関する。
【背景技術】
【０００２】従来のネイルシールは対象爪に貼付することで、その付着装備の完了のみを主たる目的とする提案がなされている。（例えば特許文献１参照）【０００３】
【参照特許文献１】
特許公開２０１０−１６７７１２号公報
【考案が解決しようとする課題】
【０００４】本考案は、マニキュア素材ネイルシールの付着定着を促進し、該シール表面の被膜硬化保護とともに、貼付状態の維持を提供する。
【課題を解決するための手段】
【０００５】対象爪にマニキュア素材ネイルシールの貼付装着の表皮に、専用保護溶液を塗布した後、ＬＥＤ光熱照射により、マニキュア素材の溶解定着と溶液の被膜乾燥凝固により、前項課題を解決する。
【０００６】対象爪に貼付すマニキュア素材ネイルシールの端部剥離を阻止するため、対象爪より０．１ｍｍから１ｍｍの周辺隙間を有した状態のマニキュア素材ネールシールを貼付装着し、専用保護溶液を対象爪全体に塗布し、剥離保護を施す。
【考案の効果】
【０００７】対象爪に貼付装着したマニキュア素材ネイルシールの外因からの損傷や剥離を阻止並びに抑止するとともに、ＬＥＤ光熱照射による短時間での被覆硬化を可能とする他、表皮の保護とともに、艶出し効果などがもたらされ、美的装飾爪の完成が期待される。
【考案を実施するための最良の形態】
【０００８】以下本考案の形態を示す図面に基づき説明する。【０００９】図１に示す如く、対象爪へのマニキュア素材ネイルシールの装着の状態と専用保護溶液塗布によるシート被膜硬化層を有するネイルシールの形態図。【００１０】図２に示す如く、マニキュア素材ネイルシール装着爪の表皮に保護溶液の塗布した後の対象爪にＬＥＤ光熱照射による溶液の被覆硬化を施し、シールの定着と溶液の保護膜硬化にによる被覆硬化層を有する略楕円形状のネイルーシールの完成図。
【図面の簡単な説明】
【００１１】
【図１】本考案の施術を施す対象指先の対象爪にその爪より０．１ｍｍから１ｍｍ幅の周辺隙間を有した略楕円形状のマニキュア素材のベースシール。
【００１２】
【図２】対象指先の対象爪に略楕円形状マニキュア素材ネイルシールを貼付し、その表皮部に専用溶液を塗布の後、ＬＥＤ光熱照射を施すことによる、本考案の被膜硬化層を有するネイルシールの完成を示す傾斜図。
【符号の説明】
【００１３】１  対象指
２  対象爪
３  略楕円形状マニキュア素材ネイルシール
４  周辺隙間（０．１ｍｍから１ｍｍｍ）
５  塗布保護溶液
６  ＬＥＤ光熱照射
【図１】
0003181499.tif 000003
【図２】
0003181499.tif 000004
【手続補正書】
【提出日】平成24年11月15日(2012.11.15)
【手続補正１】
【補正対象書類名】実用新案登録請求の範囲
【補正対象項目名】全文
【補正方法】変更
【補正の内容】
【実用新案登録請求の範囲】
【請求項１】
裏面に接着層を有した略楕円形状のマニキュアベースシール素材に保護溶液塗布による該シールに連結する被膜硬化層を一体とするネイルシール。
【請求項２】
対象爪より、０．１ｍｍから１ｍｍの周辺隙間を有する請求項１記載のネイルシール。
(57)【要約】      （修正有）【課題】複数の太鼓を同一スペースに集約し、多人数で、前後左右に打ち手が分かれ同一スペースで演奏でき、移動及び演奏中の回転・移動も可能とした四面打ち移動組立式回転単一太鼓台を提供する。【解決手段】外枠からなる大太鼓用の台の最上部に大太鼓１を設置し、大太鼓用台の下部内部中空スペースに、中太鼓３の出入り方向が大太鼓用台の上部に載る大太鼓打面に対して９０度横方向になるように中太鼓用台を設置し、同様に中太鼓３を大太鼓打面に対して９０度横方向になるように中太鼓用台上部に設置し、省スペースで４方向複数同時演奏を可能とし、大太鼓用台の下部、中太鼓用台下部に移動用のキャスター５、６を設け、移動及び移動演奏も可能とし、さらに大太鼓用台と中太鼓用台を分解組立可能としたことを特徴とする。【選択図】図１
0003181493.tif 000002
【実用新案登録請求の範囲】
【請求項１】
メインとする大太鼓を最上部に設置しその台の中空に、さらに中太鼓の台を９０度方向に設置し左右にそれぞれの太鼓を設置し、省スペースで４方向複数同時演奏を可能とし、それぞれの台に移動用のキャスタータイヤを設け移動を及び、移動演奏も可能とし、さらにそれぞれの台を分解組立可能としたことを特徴とする四面打ち移動組立式回転単一太鼓台。
【考案の詳細な説明】
【技術分野】
【０００１】  本考案は、複数の太鼓を同一スペースに集約し、多人数で、前後左右に打ち手が分かれ同一スペースで演奏でき、移動及び演奏中の回転・移動も可能とした四面打ち移動組立式回転単一太鼓台に関するものである。
【背景技術】
【０００２】  従来、太鼓１貫に対して太鼓の台は１台であった、そのため複数の太鼓の演奏には多くのスペースが必要であった、太鼓の台１台に対して太鼓１貫での演奏者は通常２名程度でさらに多くのスペースが必要であった。
【考案の開示】
【考案が解決しようとする課題】
【０００３】    そのために、次のような問題点があった。
（イ）    太鼓１貫に対し太鼓台１台で、複数の太鼓の移動の場合は大変であった
（ロ）    通常１台の太鼓では、２名を超える同時演奏は困難であった
（ハ）    複数の太鼓及び太鼓台のスペースはかなりのスペースを要した
（ニ）    通常、複数同時演奏時の太鼓の移動・回転は困難であった
【課題を解決するための手段】
【０００４】    メインとする大太鼓を最上部に設置しその台の中空に、さらに中太鼓の台を９０度方向に設置し左右にそれぞれ太鼓を設置し、省スペースで４方向複数同時演奏を可能とし、それぞれの台に移動用のキャスタータイヤを設け移動及び移動演奏も可能とし、さらにそれぞれの台を分解組立可能とした。以上を特徴とする四面打ち移動組立式回転単一太鼓台である。
【考案の効果】
【０００５】  本考案は、複数の太鼓の演奏を少ないスペースで同時複数人数で演奏でき、太鼓の設置及び演奏中の移動も可能とし、エンターテイメント性を高めた舞台を期待できる、また、複数の太鼓を集約できる太鼓の台は、移動の際のことも考慮し分解・組立可能としさらに移動の際の機能性を確保した。
【考案を実施するための最良の形態】
【０００６】  以下、考案の実施形態を説明する。
（イ）  正面外枠（２）の下部に正面外枠キャスター（５）をそれぞれ２個設置
（ロ）  背面外枠（１２）の下部に背面外枠キャスター（１３）をそれぞれ２個設置
（ハ）  正面外枠（２）と背面外枠（１２）の上部を右上部外枠連結板（７）と左上部外枠連結板（１０）とで接続、下部を右下部連結板（９）と左下部連結板（１１）で接続、完成した台に上部大太鼓（１）を上部に設置
（ニ）  内部台（４）に内部台キャスター（６）を四隅に設置、内部台（４）の上部に正面太鼓（中）（３）と背面太鼓（中）（８）を２台設置
（ホ）  （ニ）で完成した台の外部の９０度方向に（ハ）の台を設置
本考案は、以上の構成よりなっている。
本考案を使用するときは、内部台（４）に各中太鼓（３）と（８）を設置しキャスター（６）を取り付け、その外側に各外枠（２）、（１２）を各下部連結板（９）、（１１）と各上部外枠連結板（７）、（１０）により連結させ、外側を覆うように外部台を設置し、その上部に上部大太鼓（１）を設置し完成とし、使用時には、上部大太鼓（１）を対面両面打ちとし、各中太鼓（３）、（８）を上部大太鼓（１）に対して９０度方向それぞれに対面打ちとし、四方向からそれぞれの演奏者がキャスター（５）、（６）、（１３）の効果により移動しながらの演奏も可能とした。
【図面の簡単な説明】
【０００７】
【図１】  本発明の正面図
【図２】  本発明の背面図
【符号の説明】
【０００８】１  上部大太鼓（大）
２  正面外枠
３  正面太鼓（中）
４  内部台
５  正面外枠下部キャスター２個
６  内部台キャスター４個
７  右上部外枠連結板
８  背面太鼓（中）
９  右下部外枠連結板
１０  左上部外枠連結板
１１  左下部連結板
１２  背面外枠
１３  背面外枠キャスター２個
【図１】
0003181493.tif 000003
【図２】
0003181493.tif 000004
【手続補正書】
【提出日】平成24年8月17日(2012.8.17)
【手続補正１】
【補正対象書類名】実用新案登録請求の範囲
【補正対象項目名】全文
【補正方法】変更
【補正の内容】
【実用新案登録請求の範囲】
【請求項１】
外枠からなる大太鼓用の台の最上部に大太鼓を設置し、大太鼓用台の下部内部中空スペースに中太鼓用の台を大太鼓用の台に上部に載る大太鼓打面に対して９０度横方向出入り出来るように大太鼓用台下部内部に設置し、同様に中太鼓を大太鼓打面に対して９０度横方向に中太鼓用の台上部に設置し、省スペースで４方向複数同時演奏を可能とし、大太鼓用台の下部、中太鼓用台下部に移動用のキャスターを設け、移動及び移動演奏も可能とし、さらに大太鼓用台と中太鼓用台を分解組立可能としたことを特徴とする四面打ち移動組立式回転単一太鼓台。
【手続補正書】
【提出日】平成24年11月15日(2012.11.15)
【手続補正１】
【補正対象書類名】実用新案登録請求の範囲
【補正対象項目名】全文
【補正方法】変更
【補正の内容】
【実用新案登録請求の範囲】
【請求項１】
外枠からなる大太鼓用の台の最上部に大太鼓を設置し、大太鼓用台の下部内部中空スペースに、中太鼓の出入り方向が大太鼓用台の上部に載る大太鼓打面に対して９０度横方向になるように中太鼓用台を設置し、同様に中太鼓を大太鼓打面に対して９０度横方向になるように中太鼓用台上部に設置し、省スペースで４方向複数同時演奏を可能とし、大太鼓用台の下部、中太鼓用台下部に移動用のキャスターを設け、移動及び移動演奏も可能とし、さらに大太鼓用台と中太鼓用台を分解組立可能としたことを特徴とする四面打ち移動組立式回転単一太鼓台。